(57)【特許請求の範囲】
【請求項１】
他の無線通信装置から無線ＬＡＮアクセスポイントとの無線接続を要求する要求信号を受信し、その後一時的な前記無線接続に必要な識別信号が入力された場合には前記識別信号を前記他の無線通信装置に送信する近距離通信手段と、
前記要求信号に対応し無線接続許否を前記無線ＬＡＮアクセスポイントに照会する照会信号を送信し、これに対し前記無線ＬＡＮアクセスポイントから前記一時的な無線接続に必要な識別信号を受信した場合、該識別信号を前記近距離通信手段に供給する無線ＬＡＮ通信手段と、
を備えていることを特徴とする無線通信装置。
【請求項２】
前記他の無線通信装置との近距離通信を確立した後で、前記他の無線通信装置が前記一時的な無線接続に必要な識別信号を用いて前記無線ＬＡＮアクセスポイントへの無線接続を確立し、
その後、前記他の無線通信装置との前記近距離通信を切断する、請求項１に記載の無線通信装置。
【請求項３】
前記無線ＬＡＮアクセスポイントに対して前記一時的な無線接続に必要な識別信号の停止要求を送信し、前記無線ＬＡＮアクセスポイントの前記一時的な無線接続に必要な識別信号を停止させる、請求項１又は請求項２に記載の無線通信装置。
【請求項４】
請求項１乃至請求項３のいずれか一項に記載された無線通信装置と、
前記無線ＬＡＮアクセスポイントと、
前記他の無線通信装置と、
を備えていることを特徴とする無線ＬＡＮシステム。
【請求項５】
前記無線ＬＡＮアクセスポイントは、前記無線通信装置から受け取った、他の無線通信装置が有する無線ＬＡＮ通信手段に設定されたＭＡＣアドレスを登録し、
前記他の無線通信装置は、受け取った前記一時的な無線接続に必要な識別信号を用いて、前記無線ＬＡＮアクセスポイントへの無線接続を確立する、請求項４に記載の無線ＬＡＮシステム。
【請求項６】
前記無線通信装置は、前記他の無線通信装置が前記無線ＬＡＮアクセスポイントへの無線接続を確立した後で、前記他の無線通信装置との近距離通信を切断する、請求項５に記載の無線ＬＡＮシステム。
【請求項７】
前記無線通信装置は、前記一時的な無線接続に必要な識別信号の停止要求を前記無線ＬＡＮアクセスポイントに対して送信し、これを受けて前記無線ＬＡＮアクセスポイントは前記一時的な無線接続に必要な識別信号を停止する、請求項４乃至請求項６のいずれか一項に記載の無線ＬＡＮシステム。
【請求項８】
一時的な用途で無線ＬＡＮアクセスポイントに接続したい他の無線通信装置に対して、前記無線ＬＡＮアクセスポイントへの一時的なアクセス権を前記無線ＬＡＮアクセスポイントに既に接続している無線通信装置が与えるために、
前記無線ＬＡＮアクセスポイントに接続している前記無線通信装置との近距離通信を経由して、前記無線ＬＡＮアクセスポイントに接続している前記無線通信装置は、前記無線ＬＡＮアクセスポイントに一時的な無線接続先の作成を命令し、
その無線接続先に接続するための接続情報を、前記他の無線通信装置は前記無線通信装置を経由して入手し一時的に無線ＬＡＮアクセスポイントへ接続する、通信方法。
【請求項９】
前記無線通信装置は、
前記他の無線通信装置が前記無線ＬＡＮアクセスポイントへの無線接続を望むときは、前記他の無線通信装置との近距離通信を確立した後、
前記無線ＬＡＮアクセスポイントに対して一時的な無線接続に必要な識別信号を作成可能かどうか確認を取り、一時的な無線接続に必要な識別信号を作成可能であった場合には、その旨の回答を前記他の無線通信装置に行い、
他の無線通信装置が有する無線ＬＡＮ通信手段に設定されたＭＡＣアドレスを付加した情報を前記他の無線通信装置から受け取って前記無線ＬＡＮアクセスポイントに送信し、前記無線ＬＡＮアクセスポイントに対して一時的な無線接続に必要な識別信号の作成を依頼し、
前記無線ＬＡＮアクセスポイントから前記一時的な無線接続に必要な識別信号を受信して、前記他の無線通信装置に送信する、請求項８に記載の通信方法。
【請求項１０】
前記無線ＬＡＮアクセスポイントは、前記無線通信装置から受け取った、他の無線通信装置が有する無線ＬＡＮ通信手段に設定されたＭＡＣアドレスを登録し、
前記他の無線通信装置は、受け取った一時的な無線接続に必要な識別信号を用いて、前記無線ＬＡＮアクセスポイントへの無線接続を確立する、請求項９に記載の通信方法。
【発明の詳細な説明】
【技術分野】
【０００１】
本発明は、無線通信装置、無線ＬＡＮ（Local Area Network）システム、及び通信方法に関し、特に無線ＬＡＮアクセスポイントに接続するために必要となる接続情報の受渡しに関する。
【背景技術】
【０００２】
現在、情報端末を無線通信を使用してネットワークに接続するための方式として、ＩＥＥＥ（The Institute of Electrical and Electronics Engineers, Inc.）で規格されたIEEE802.11a/b/g/nという通信方式があり、本方式を総じて「無線ＬＡＮ」と呼称している。無線ＬＡＮは装置として無線ＬＡＮ親機・無線ＬＡＮ子機の２つに動作が分かれており、特殊な場合を除いて子機は親機に対して帰属（接続）したうえで、親機に接続されている情報端末同士で通信が可能である。一般的に、無線ＬＡＮ親機をアクセスポイント（ＡＰ：Access Point）と呼び、無線ＬＡＮ子機をステーション（ＳＴＡ：Station）と呼ぶ。
【０００３】
無線ＬＡＮで通信を行う場合、子機が親機を識別するためにＢＳＳＩＤ（Basic Service Set IDentifier）という識別子が利用される。ＢＳＳＩＤは各無線ＬＡＮ親機に対して一意に設定される48Bit数列であり、一般的にＭＡＣ（Media Access Control）アドレスが利用される。また、無線ＬＡＮで構成された１つのネットワークを仕切るためにＥＳＳＩＤ（Enhanced Service Set ID）という識別子が利用される。ＥＳＳＩＤは３２文字以下の英数字が利用され、親機管理者が親機に対して自由に設定できる。無線ＬＡＮに接続する場合、利用者はＥＳＳＩＤを指定して、特定の無線ネットワークに対して接続を試みる。ＥＳＳＩＤは親機が常に発出しているビーコン信号から得ることができ、子機はサーチによって周辺親機のＥＳＳＩＤを知ることができるが、秘匿性を重視してビーコンにＥＳＳＩＤを乗せずに送信する親機も存在できる。
【０００４】
また、無線ＬＡＮは通信をする際に、ＷＥＰ（Wired Equivalent Privacy）、ＴＫＩＰ（Temporal Key Integrity Protocol）、ＡＥＳ（Advanced Encryption Standard）などIEEE802.11で規定された暗号方式によって通信を暗号化することができる。暗号化を使用している無線ＬＡＮ親機に接続する際には各親機に設定された暗号化方式と、暗号に使用している暗号化キーを事前に知っておく必要がある。
【０００５】
これまで無線ＬＡＮアクセスポイントは主にパーソナルコンピュータ（ＰＣ）等の端末を、インターネット・社内ネットワーク・ホームネットワーク等に対してケーブル等物理的な接続をすることなく通信するための手段として広く使用されてきた。
【０００６】
近年、ユビキタス化に伴い、場所を選ばず必要な情報にアクセスすることのできるクラウドサービスなどが増加している。出先であっても必要なサービスを受けるために、モバイルＰＣ、ネットブック、スマートフォン、タブレット端末など、小型で携帯しやすい情報端末が普及してきている。中でもスマートフォンやタブレット端末等の小型で気軽に持ち運ぶことのできる情報端末は、無線ＬＡＮ子機としての機能はもとより、近距離通信に使用可能な通信機能を多彩に搭載しているものも多い。近距離通信としては、Ｂｌｕｅｔｏｏｔｈ（登録商標）、ＮＦＣ（Near Field Communication）、ＩｒＤＡ（Infrared Data Association）（登録商標）等が挙げられる。
【０００７】
可搬型の情報端末はインターネットに接続するための手段として無線ＬＡＮへの接続が常態化してきており、出先では現地に設置されている無線ＬＡＮアクセスポイントに一時的に接続してインターネットにアクセスすることが往々にある。
【０００８】
情報端末を、無線ＬＡＮアクセスポイント（ＡＰ）を通してネットワークに接続するには、ＡＰへの接続に必要なＢＳＳＩＤ、暗号化方式、暗号に使用する暗号化キーの情報が必要である。これまで、これらの情報を端末に対して入力するのは、基本的には人の手で１つずつ入力するのが基本であるが、これは非常に手間である。
【０００９】
この接続情報の受渡しを簡単・簡潔に行うことを目的とした手法が数々開発されている。今までに利用されている主な手法は、プッシュボタン方式、ＰＩＮ（Personal Identification Number）コード方式、やＮＦＣ方式があげられる。
【００１０】
プッシュボタン方式は、予め端末側の無線ＬＡＮ制御装置をサーチ状態にしたうえで、ＡＰに搭載されている特定のプッシュスイッチを押すことでＡＰ側から識別信号を発し、端末側はその識別信号に応じてＡＰと安全に接続情報の受渡を行うというものである。この方式は、ＡＰとの接続をするうえで必要な暗号方式及び暗号化キーを利用者が意識することなく接続性を確保することができる。しかしながら、利用者はＡＰの設置場所にわざわざ赴き、プッシュボタンを押す必要がある。もしＡＰが天井等に設置されている場合、この方式は困難が伴う。
【００１１】
ＰＩＮコード方式は、予め親機又は子機側を識別することが可能な数桁の数字列を接続先に対して入力することで相手側を特定し、安全に接続情報の受渡を行うというものである。この方式は、予め相手側を特定するための情報を利用者は知っておく必要があり、暗号化キーを手で入力するのと大差ない。
【００１２】
ＮＦＣ方式は、ＡＰに搭載されたＮＦＣ制御装置やＮＦＣタグと直接通信することで、安全に接続情報を取得するというものである。この方式は、ＮＦＣ通信が可能な範囲に端末を近接させる必要がある。ＡＰは基本的に定位置に固定で設置するため、端末を特定の１地点に移動させる必要がある。
【発明の概要】
【発明が解決しようとする課題】
【００１３】
上述した、プッシュボタン方式、ＰＩＮコード方式、やＮＦＣ方式に関しても、一度接続情報の受渡しを行うと、一般的に、無線ＬＡＮ端末側には一度接続したＡＰの接続情報は記録されてしまう。無線ＬＡＮ端末側に接続情報が記録されてしまうと、無線ＬＡＮ端末はアクセスポイント管理者に把握されない状態で、ＡＰに接続可能となってしまう。これらの方式は、ＡＰへの接続権を提供する管理者が一時的に接続許可したいというニーズに応えることができない。また、ネットワークの機密性を低下させるリスクがあり、管理者による一時的な接続許可という用途には向かない。
【００１４】
また、プッシュボタン方式、ＰＩＮコード方式、やＮＦＣ方式で新たにＡＰに接続しようとすると、ＡＰの存在や位置、接続情報を利用者が意識しなければならない。言い換えると、これらの方式でＡＰに新たに接続しようとすると、一時的なアクセスによる利用者に対してＡＰの存在や位置、接続情報を意識させてしまう。このため、一時的なアクセスによる利用者が、仮にＡＰの接続情報を悪用しようと考えた場合にも一時的なアクセスの提供者は止めることができない、という課題がある。
【００１５】
本発明の目的は、無線ＬＡＮ端末の利用者にＡＰの存在や位置、接続情報を意識させないで、通信ネットワークへの一時的なアクセスを提供する、無線通信装置、無線ＬＡＮシステム、及び通信方法を提供することにある。
【課題を解決するための手段】
【００１６】
上記目的を達成するため、本発明に係る無線通信装置は、
他の無線通信装置から無線ＬＡＮアクセスポイントとの無線接続を要求する要求信号を受信し、その後一時的な上記無線接続に必要な識別信号が入力された場合には上記識別信号を上記他の無線通信装置に送信する近距離通信手段と、
上記要求信号に対応し無線接続許否を上記無線ＬＡＮアクセスポイントに照会する照会信号を送信し、これに対し上記無線ＬＡＮアクセスポイントから上記一時的な無線接続に必要な識別信号を受信した場合、該識別信号を上記近距離通信手段に供給する無線ＬＡＮ通信手段と、を備えていることを特徴とする。
【００１７】
本発明に係る無線ＬＡＮシステムは、
他の無線通信装置から無線ＬＡＮアクセスポイントとの無線接続を要求する要求信号を受信し、その後一時的な上記無線接続に必要な識別信号が入力された場合には上記識別信号を上記他の無線通信装置に送信する近距離通信手段、及び上記要求信号に対応し無線接続許否を上記無線ＬＡＮアクセスポイントに照会する照会信号を送信し、これに対し上記無線ＬＡＮアクセスポイントから上記一時的な無線接続に必要な識別信号を受信した場合、該識別信号を上記近距離通信手段に供給する無線ＬＡＮ通信手段、を備えた無線通信装置と、
上記無線ＬＡＮアクセスポイントと、
上記他の無線通信装置と、
を備えていることを特徴とする。
【００１８】
本発明に係る通信方法は、
一時的な用途で無線ＬＡＮアクセスポイントに接続したい他の無線通信装置に対して、上記無線ＬＡＮアクセスポイントへの一時的なアクセス権を与えるために、
既に上記無線ＬＡＮアクセスポイントに接続している無線通信装置との近距離通信を経由して、上記無線ＬＡＮアクセスポイントに一時的な無線接続先の作成を命令し、
その無線接続先に接続するための接続情報を、上記他の無線通信装置は上記無線通信装置を経由して入手し一時的に無線ＬＡＮアクセスポイントへ接続する。
【発明の効果】
【００１９】
本発明の無線通信装置、無線ＬＡＮシステム、及び通信方法によれば、一時的にしかネットワークにつなぐ必要のない他の無線通信装置に対しては、利用者に無線ＬＡＮアクセスポイントの存在や位置、接続情報を意識させないで、一時的なアクセスを提供できる。
【図面の簡単な説明】
【００２０】
【図１】本発明の最上位概念に対応する実施形態の無線通信装置及び無線ＬＡＮシステムのブロック図である。
【図２Ａ】本発明の第１実施形態による無線ＬＡＮシステムの構成図である。
【図２Ｂ】図２Ａの無線ＬＡＮシステムの詳細構成を示すシステム図である。
【図３】本発明の第１実施形態による無線ＬＡＮシステムのシステムフローを示すシーケンスチャートである。
【図４】無線ＬＡＮ端末１０３の動作を説明するためのフローチャートである。
【図５】（ａ）は無線ＬＡＮ端末１０２の動作を説明するためのフローチャートであり、（ｂ）は（ａ）のアクセスポイントの状態確認処理をより詳細に示すフローチャートである。
【図６】無線ＬＡＮ端末１０２の動作を説明するための第２のフローチャートである。
【図７】（ａ）は無線ＬＡＮアクセスポイント装置１０１の動作を説明するための第１のフローチャートであり、（ｂ）は（ａ）の制御・通信監視処理をより詳細に示すフローチャートである。
【図８】無線ＬＡＮアクセスポイント装置１０１の動作を説明するための第２のフローチャートである。
【発明を実施するための形態】
【００２１】
本発明は、一時的に接続したい無線ＬＡＮアクセスポイントの接続情報を、既に恒久的に無線ＬＡＮアクセスポイントに接続可能な端末Ａを経由して、得るものである。その際、一時的に無線ＬＡＮアクセスポイントに接続したい端末Ｂに対して、端末同士が有する近距離通信を利用して、接続情報の受渡を行うものである。端末同士を近接させれば、端末Ｂに対してアクセス性を提供することが可能である。
【００２２】
また、既に無線ＬＡＮアクセスポイントと恒久的に接続が可能になっている端末Ａを主体として、一時的な接続のためのアクセス管理を行う。これにより、一時的に接続した端末Ｂの接続性を一元的に管理することが可能である。
【００２３】
図１は、本発明の最上位概念に対応する実施形態の無線通信装置及び無線ＬＡＮシステムのブロック図である。
【００２４】
最上位概念に対応する実施形態の無線通信装置は図１では、無線ＬＡＮ端末２である。無線ＬＡＮ端末２は、無線ＬＡＮ通信手段２ａ及び近距離通信手段２ｂを備える。近距離通信手段２ｂは、他の無線通信装置から無線ＬＡＮアクセスポイント１との無線接続を要求する要求信号を受信し、その後一時的な無線接続に必要な識別信号が入力された場合には上記識別信号を上記他の無線通信装置に送信する。図１では、他の無線通信装置の一例として、他の無線ＬＡＮ端末３を示す。無線ＬＡＮ通信手段２ａは、上記要求信号に対応し無線接続許否を上記無線ＬＡＮアクセスポイント１に照会する照会信号を送信する。この照会信号の送信に対し、無線ＬＡＮ通信手段２ａが上記無線ＬＡＮアクセスポイント１から上記一時的な無線接続に必要な識別信号を受信した場合、該識別信号を上記近距離通信手段２ｂに供給する。
【００２５】
無線ＬＡＮ端末２は無線ＬＡＮ通信手段２ａで、無線ＬＡＮアクセスポイント１の無線ＬＡＮ通信手段１ａと無線接続を確立した状態にあるものとする。無線ＬＡＮ端末２は、他の無線ＬＡＮ端末３から無線ＬＡＮアクセスポイント１との無線接続を要求する要求信号を受信したときには、上記要求信号に対応し無線接続許否を上記無線ＬＡＮアクセスポイント１に照会する照会信号を送信する。これに対し上記無線ＬＡＮアクセスポイント１から上記一時的な無線接続に必要な識別信号を無線ＬＡＮ端末２が受信した場合、上記一時的な無線接続に必要な識別信号を上記他の無線ＬＡＮ端末３に送信する。その後、他の無線ＬＡＮ端末３は、受信した一時的な無線接続に必要な識別信号を使って、無線ＬＡＮアクセスポイント１と無線接続を確立する。
【００２６】
最上位概念に対応する実施形態の無線ＬＡＮシステムは図１に示すように、無線通信装置と、無線ＬＡＮアクセスポイント１と、他の無線通信装置と、を備える。本実施形態の無線通信装置は図１では、無線ＬＡＮ端末２である。無線ＬＡＮ端末２は、無線ＬＡＮ通信手段２ａ及び近距離通信手段２ｂを備える。無線ＬＡＮ端末２の近距離通信手段２ｂは、他の無線通信装置から無線ＬＡＮアクセスポイント１との無線接続を要求する要求信号を受信し、その後一時的な無線接続に必要な識別信号が入力された場合には上記識別信号を上記他の無線通信装置に送信する。
【００２７】
本実施形態の他の無線通信装置は図１では、無線ＬＡＮ端末３である。無線ＬＡＮ端末３は、無線ＬＡＮ通信手段３ａ及び近距離通信手段３ｂを備える。無線ＬＡＮ端末２の無線ＬＡＮ通信手段２ａは、上記要求信号に対応し無線接続許否を上記無線ＬＡＮアクセスポイント１に照会する照会信号を送信する。無線ＬＡＮ端末２の無線ＬＡＮ通信手段２ａは、この照会信号の送信に対し上記無線ＬＡＮアクセスポイント１から上記一時的な無線接続に必要な識別信号を受信した場合、該識別信号を上記近距離通信手段２ｂに供給する。
【００２８】
無線ＬＡＮ端末２は無線ＬＡＮ通信手段２ａで、無線ＬＡＮアクセスポイント１の無線ＬＡＮ通信手段１ａと無線接続を確立した状態にあるものとする。無線ＬＡＮ端末２は、他の無線ＬＡＮ端末３から無線ＬＡＮアクセスポイント１との無線接続を要求する要求信号を受信したときには、上記要求信号に対応し無線接続許否を上記無線ＬＡＮアクセスポイント１に照会する照会信号を送信する。これに対し上記無線ＬＡＮアクセスポイント１から上記一時的な無線接続に必要な識別信号を無線ＬＡＮ端末２が受信した場合、上記一時的な無線接続に必要な識別信号を上記他の無線ＬＡＮ端末３に送信する。その後、他の無線ＬＡＮ端末３は、受信した一時的な無線接続に必要な識別信号を使って、無線ＬＡＮアクセスポイント１と無線接続を確立する。
【００２９】
最上位概念に対応する実施形態の通信方法は、一時的な用途で無線ＬＡＮアクセスポイント１に接続したい他の無線ＬＡＮ端末に対して、上記無線ＬＡＮアクセスポイント１への一時的なアクセス権を与えるものである。図１では、他の無線通信装置の一例として無線ＬＡＮ端末３を示す。本実施形態の通信方法では、既に上記無線ＬＡＮアクセスポイント１に接続している無線通信装置との近距離通信を経由して、上記無線ＬＡＮアクセスポイント１に一時的な無線接続に必要な識別信号の作成を命令する。図１では、無線通信装置の一例として無線ＬＡＮ端末２を示す。そして、その無線接続先に接続するための接続情報を、無線ＬＡＮ端末３は無線ＬＡＮ端末２を経由して入手し、無線ＬＡＮアクセスポイント１へ接続する。
【００３０】
これら実施形態によれば、一時的にしか通信ネットワークにつなぐ必要のない無線通信装置に対しては、無線通信装置の利用者に無線ＬＡＮアクセスポイント１の存在や位置、接続情報を意識させないで、一時的なアクセスを提供できる。他の無線ＬＡＮ端末３の利用者は、無線ＬＡＮ端末２と近距離通信を行っていることは認識できても、無線ＬＡＮアクセスポイント１の存在や位置を意識することはない。その結果、無線ＬＡＮ端末２や無線ＬＡＮアクセスポイント１の管理者は、無線ＬＡＮ端末３の利用者に対して無線ＬＡＮアクセスポイント１の存在や位置、接続情報を意識させないで、一時的なアクセスを提供できる。これにより、無線ＬＡＮアクセスポイント１や無線ＬＡＮアクセスポイント１への無線接続に関し、セキュリティが向上する。さらに、無線ＬＡＮアクセスポイント１の接続情報を一定時間のみ有効となるように構成することにより、一時的なアクセスの利用者による接続情報の悪用を防止することができる。以下、本発明の好ましい実施形態について、図面を参照しながらより詳細に説明する。
【００３１】
〔第１実施形態〕
本発明の第１実施形態による無線通信装置、無線ＬＡＮシステム、及び通信方法について、説明する。図２Ａは、本発明の第１実施形態による無線ＬＡＮシステムの構成図である。図２Ｂは、図２Ａの無線ＬＡＮシステムの詳細構成を示すシステム図である。
【００３２】
本発明の本実施形態に係る無線通信装置は、無線接続機能を有し、子機となる無線ＬＡＮ端末の一例としての無線ＬＡＮ端末１０２である。無線ＬＡＮ端末１０２は、親機となる無線ＬＡＮアクセスポイントの一例との無線ＬＡＮアクセスポイント装置１０１との無線ＬＡＮ接続を確立する。この状態で、子機となる他の無線ＬＡＮ端末の一例としての無線ＬＡＮ端末１０３が無線ＬＡＮアクセスポイント装置１０１への無線接続を望むときには、次の動作を行う。無線ＬＡＮ端末１０２は、無線ＬＡＮ端末１０３との近距離無線通信を確立する。さらに、無線ＬＡＮ端末１０２は、無線ＬＡＮアクセスポイント装置１０１に対して一時的に接続可能な識別情報を作成可能かどうか、確認を取る。一時的に接続可能な識別情報を作成可能であった場合には、その旨の回答を無線ＬＡＮ端末１０２は無線ＬＡＮ端末１０３に行う。さらに、無線ＬＡＮ端末１０３から、上記無線ＬＡＮ端末１０３が有し接続する無線ＬＡＮインターフェースに設定されたＭＡＣアドレスを付加した情報を受け取って、無線ＬＡＮアクセスポイント装置１０１に送信する。さらに、無線ＬＡＮ端末１０２は、無線ＬＡＮアクセスポイント装置１０１に対して一時的に接続可能な識別情報の作成を依頼する。さらに、無線ＬＡＮアクセスポイント装置１０１から上記一時的に接続可能な識別情報を受信して、無線ＬＡＮ端末１０３に送信する。
【００３３】
本発明の本実施形態に係る無線ＬＡＮシステムは、図２Ａに示すように無線ＬＡＮアクセスポイントの一例としての無線ＬＡＮアクセスポイント装置１０１を有する。さらに本実施形態に係る無線ＬＡＮシステムは、無線ＬＡＮアクセスポイント装置１０１へ無線接続する無線通信装置の一例としての無線ＬＡＮ端末１０２を有する。さらに本実施形態に係る無線ＬＡＮシステムは、無線ＬＡＮアクセスポイント装置１０１へ無線接続する他の無線ＬＡＮ端末の一例としての無線ＬＡＮ端末１０３を有する。
【００３４】
無線ＬＡＮ端末１０２は、無線ＬＡＮアクセスポイント装置１０１との無線ＬＡＮ接続を確立した状態で、無線ＬＡＮ端末１０３が無線ＬＡＮアクセスポイント装置１０１への無線接続を望むときには、次の動作を行う。無線ＬＡＮ端末１０２は、無線ＬＡＮ端末１０３との近距離無線通信を確立する。さらに、無線ＬＡＮ端末１０２は、無線ＬＡＮアクセスポイント装置１０１に対して一時的に接続可能な識別情報を作成可能かどうか、確認を取る。一時的に接続可能な識別情報を作成可能であった場合には、その旨の回答を無線ＬＡＮ端末１０２は無線ＬＡＮ端末１０３に行う。さらに、無線ＬＡＮ端末１０３から、上記無線ＬＡＮ端末１０３が有し接続する無線ＬＡＮインターフェースに設定されたＭＡＣアドレスを付加した情報を受け取って、無線ＬＡＮアクセスポイント装置１０１に送信する。さらに、無線ＬＡＮ端末１０２は、無線ＬＡＮアクセスポイント装置１０１に対して一時的に接続可能な識別情報の作成を依頼する。さらに、無線ＬＡＮアクセスポイント装置１０１から上記一時的に接続可能な識別情報を受信して、無線ＬＡＮ端末１０３に送信する。
【００３５】
さらに、本発明の本実施形態に係る通信方法は、一時的な用途で無線ＬＡＮアクセスポイントに接続したい他の無線ＬＡＮ端末に対して、上記無線ＬＡＮアクセスポイントへの一時的なアクセス権を与えるものである。本実施形態に係る通信方法では、既に上記無線ＬＡＮアクセスポイントに接続している無線通信装置との近距離無線通信を経由して、上記無線ＬＡＮアクセスポイントに一時的な無線接続先の作成を命令する。さらに、本実施形態に係る通信方法では、その無線接続先に接続するための接続情報を、上記他の無線ＬＡＮ端末は上記無線通信装置を経由して入手し、上記他の無線ＬＡＮ端末は一時的に無線ＬＡＮアクセスポイントへ接続する。
【００３６】
以下に、より具体的に説明する。本実施形態の無線ＬＡＮシステムは、無線ＬＡＮアクセスポイント装置１０１と、無線ＬＡＮに接続可能で且つ近距離無線通信が可能なインターフェースを持つ無線ＬＡＮ端末１０２とを有する。さらに、本実施形態の無線ＬＡＮシステムは、無線ＬＡＮ端末１０２と同様の近距離無線通信が可能なインターフェースを持つ無線ＬＡＮ端末１０３を有する。本発明の実施形態として、本発明を利用して上位ネットワークと通信を試みる無線ＬＡＮ子機のシステム構成図を図２Ｂに示す。
【００３７】
親機である無線ＬＡＮアクセスポイント装置１０１は、複数の識別情報ＥＳＳＩＤを設定でき、それぞれの識別情報ＥＳＳＩＤを使って各無線ＬＡＮ子機と同時に通信が可能な機能を持つ。無線ＬＡＮアクセスポイント装置１０１は、IEEE802.11に規定された無線ＬＡＮ通信規格に則って無線ＬＡＮ親機としての機能を有する無線ＬＡＮ制御部１０１ａを有する。無線ＬＡＮアクセスポイント装置１０１の無線ＬＡＮ制御部１０１ａは、複数の無線ＬＡＮネットワークの親機として動作するため、それぞれで別の識別情報ＥＳＳＩＤを設定して動作可能な無線ＬＡＮ通信インターフェース１０４、１０５、１０６を有する。
【００３８】
無線ＬＡＮアクセスポイント装置１０１は、無線ＬＡＮ通信インターフェース１０４及び無線ＬＡＮ通信インターフェース１０５を用いて、恒久的に識別信号ＥＳＳＩＤ１と識別信号ＥＳＳＩＤ２を送出している。残り１つの無線ＬＡＮ通信インターフェース１０６は、ＥＳＳＩＤ、暗号方式、暗号化キー、動作のオン／オフ等の設定を随時自由に設定可能である。また無線ＬＡＮアクセスポイント装置１０１は、無線ＬＡＮ通信インターフェース１０４に接続された端末からのみ使用できる通信コマンドを有する。さらに、無線ＬＡＮ通信インターフェース１０４に接続された端末からの指示により、無線ＬＡＮ通信インターフェース１０６のオン／オフ、ＥＳＳＩＤ、通信方式や暗号化キーの設定が可能である。
【００３９】
子機である無線ＬＡＮ端末１０２は、IEEE802.11に規定された無線ＬＡＮ通信規格に則って無線ＬＡＮ子機としての機能を有する無線ＬＡＮ通信インターフェース１０２ａを有する。さらに、ISO/IEC 18092に規定されたＮＦＣ通信規格に則って通信を行うＮＦＣ通信インターフェース１０２ｂを有する。図２Ｂの無線ＬＡＮ端末１０２は、既に無線ＬＡＮで無線ＬＡＮアクセスポイント装置１０１と接続可能な状態にあるものとする。図２Ａでは、無線ＬＡＮ端末１０２としてＳＴＡ１及びＳＴＡ２の二つの端末が示されている。
【００４０】
無線ＬＡＮ端末１０２は、無線ＬＡＮアクセスポイント装置１０１が送出する識別信号ＥＳＳＩＤ１のインターフェースに接続するための情報を有し、無線ＬＡＮアクセスポイント装置１０１とは通信可能な状態にある。
【００４１】
無線ＬＡＮ端末１０２は、ＮＦＣ通信インターフェース１０２ｂを用いて、同等の近距離無線通信を行うためのＮＦＣ通信インターフェースを有する無線ＬＡＮ端末１０３と近接しており、ＮＦＣ通信を使って通信可能な状態にある。
【００４２】
子機である無線ＬＡＮ端末１０３は、IEEE802.11に規定された無線ＬＡＮ通信規格に則って無線ＬＡＮ子機としての機能を有する無線ＬＡＮ通信インターフェース１０３ａを有する。さらに、無線ＬＡＮ端末１０２と同等の近距離無線通信を行うためのＮＦＣ通信インターフェース１０３ｂを有する。無線ＬＡＮ端末１０３は、無線ＬＡＮアクセスポイント装置１０１の接続情報ＥＳＳＩＤ１、接続情報ＥＳＳＩＤ２のどちらも有していない。図２Ａでは、無線ＬＡＮ端末１０３としてＳＴＡ３及びＳＴＡ４の二つの端末が示されている。
【００４３】
図２Ｂは無線ＬＡＮ端末１０３に、親機である無線ＬＡＮアクセスポイント装置１０１への接続に必要な情報（ＥＳＳＩＤ、暗号化方式、や暗号化キー等）を無線ＬＡＮ端末１０３に受け渡す方法を示すものである。これは無線ＬＡＮ端末１０３へ、無線ＬＡＮアクセスポイント装置１０１に対する一時的なアクセス権を提供するためのものである。
【００４４】
次に、本実施形態の動作について説明する。一時的にアクセスポイントに接続したい無線ＬＡＮ端末１０３が、無線ＬＡＮアクセスポイント装置１０１に一時的に接続可能になるまでの全体的なシステムフローを図３に示す。図３は、本実施形態の基本的な流れを示している。
【００４５】
まず、一時的にアクセスポイントに接続したい無線ＬＡＮ端末１０３は、無線ＬＡＮ端末１０２とのＮＦＣ通信接続を確立する（シーケンス３０１）。これは、既に無線ＬＡＮアクセスポイント装置１０１に接続している無線ＬＡＮ端末１０２に対して、ＮＦＣインターフェースを通して通信できるようにするためのものである。この時、無線ＬＡＮ端末１０２は既に無線ＬＡＮアクセスポイント装置１０１との間で、一時的な無線ＬＡＮ通信インターフェースを制御するための通信セッションを確立しているものとする。この通信セッションに関しては後述する。
【００４６】
無線ＬＡＮ端末１０３は無線ＬＡＮ端末１０２に対して、一時的な無線ＬＡＮ接続先の作成が可能かどうかの是非を確認する（シーケンス３０２）。無線ＬＡＮ端末１０２はそれを受けて先に説明した通信セッションを使用して無線ＬＡＮアクセスポイント装置１０１に対して、一時的に接続可能な識別情報ＥＳＳＩＤを作成することか可能か確認を取る（シーケンス３０３）。以下では、一時的に接続可能な識別情報ＥＳＳＩＤを、ワンタイムＥＳＳＩＤと呼ぶことにする。親機である無線ＬＡＮアクセスポイント装置１０１は無線ＬＡＮ端末１０２からの確認を受けて自らの無線ＬＡＮ通信インターフェースの動作状況を確認し、ワンタイムＥＳＳＩＤを作成するうえで使用できるインターフェースの数を回答する（シーケンス３０４）。図３では、”１”と作成可能数を返答した場合を示している。無線ＬＡＮ端末１０２は無線ＬＡＮアクセスポイント装置１０１の回答が”０”でなかった場合に、無線ＬＡＮ端末１０３に対し作成可能（ＯＫ）である旨を伝える（シーケンス３０５）。
【００４７】
無線ＬＡＮ端末１０３は無線ＬＡＮ端末１０２からのＯＫの返答を受け、無線ＬＡＮ端末１０２に対して接続先の作成依頼を要望する（シーケンス３０６）。この時、無線ＬＡＮ端末１０３は、自らが有し接続する無線ＬＡＮインターフェースに設定されたＭＡＣアドレスを付加して無線ＬＡＮ端末１０２に対して送信する。
【００４８】
無線ＬＡＮ端末１０２は接続先の作成依頼を受けて、無線ＬＡＮアクセスポイント装置１０１に対してワンタイムＥＳＳＩＤの作成を依頼する（シーケンス３０７）。無線ＬＡＮアクセスポイント装置１０１はそれを受けてワンタイムＥＳＳＩＤの起動を行う。
【００４９】
この時に用いる暗号方式の設定は、無線ＬＡＮアクセスポイント装置１０１既定のものを利用する。また、ＥＳＳＩＤ名、暗号化キーについては無線ＬＡＮアクセスポイント装置１０１内で規定された法則に沿って、自動生成し用いる。例えば、無線ＬＡＮアクセスポイント装置１０１に設定された一意的なパラメータを用いて乱数を発生させ、世の中の無線ＬＡＮアクセスポイント装置として一意となるであろう値をＥＳＳＩＤ、暗号化キーに用いる方法などが挙げられる。
【００５０】
さらに、ワンタイムＥＳＳＩＤの動作する通信インターフェースが起動後、無線ＬＡＮアクセスポイント装置１０１は無線ＬＡＮ端末１０２に対して、作成したワンタイムＥＳＳＩＤに接続するために必要な接続情報一式を送信する。接続情報一式として、ＥＳＳＩＤ、ｋｅｙを貸与する（シーケンス３０８）。無線ＬＡＮ端末１０２は、無線ＬＡＮアクセスポイント装置１０１に対して無線ＬＡＮ端末１０３のＭＡＣアドレス登録を要請する（シーケンス３０９）。無線ＬＡＮアクセスポイント装置１０１はＡＣＫ信号を出力する（シーケンス３１０）。さらに、無線ＬＡＮ端末１０２は受け取った端末情報（ＥＳＳＩＤ、ｋｅｙ）を無線ＬＡＮ端末１０３に転送する（シーケンス３１１）。
【００５１】
無線ＬＡＮ端末１０３は無線ＬＡＮ端末１０２から受け取ったワンタイムＥＳＳＩＤの接続情報を用いて、無線ＬＡＮアクセスポイント装置１０１との無線ＬＡＮ接続を確立する（シーケンス３１２）。これにより、無線ＬＡＮ端末１０３は無線ＬＡＮアクセスポイント装置１０１への無線ＬＡＮ接続が可能となる。無線ＬＡＮ端末１０３が無線ＬＡＮアクセスポイント装置１０１への無線ＬＡＮ接続を確立した後に、無線ＬＡＮ端末１０２と無線ＬＡＮ端末１０３との間のＮＦＣ通信接続を切断する（シーケンス３１３）。
【００５２】
本実施形態では無線ＬＡＮ端末１０２が、無線ＬＡＮ端末１０３の無線ＬＡＮアクセスポイント装置１０１への無線ＬＡＮ接続を終了させたい場合には、無線ＬＡＮアクセスポイント装置１０１へワンタイムＥＳＳＩＤの停止要求を送信する。このワンタイムＥＳＳＩＤの停止要求を受けて、無線ＬＡＮアクセスポイント装置１０１はワンタイムＥＳＳＩＤを停止する。こうして、無線ＬＡＮアクセスポイント装置１０１による無線ＬＡＮ端末１０３へのアクセス提供が終了する。
【００５３】
参考に、無線ＬＡＮアクセスポイント装置１０１、無線ＬＡＮ端末１０２、及び無線ＬＡＮ端末１０３がそれぞれでどのような処理をしているのかについて、フローチャートを示す。
【００５４】
図４に、無線ＬＡＮ端末１０３が上記システムフローを遂行するうえで行う処理のフローチャートを示す。図５及び図６に、無線ＬＡＮ端末１０２が行う処理のフローチャートを示す。図７及び図８に、無線ＬＡＮアクセスポイント装置１０１が行う処理のフローチャートを示す。このフローチャートは、本システムの流れを説明するうえで最低限必要な流れを簡易的に書いたものである。
【００５５】
図４では、無線ＬＡＮ端末１０３は、無線ＬＡＮ接続済みである無線ＬＡＮ端末１０２とＮＦＣ通信接続を確立する（ステップＳ１）。接続確認し（ステップＳ２）、ＯＫであれば接続先作成可否を確認する（ステップＳ３）。さらに、無線ＬＡＮ端末１０２からのレスポンスを確認し（ステップＳ４）、ＯＫであれば接続先作成を依頼する（ステップＳ５）。さらに、無線ＬＡＮ端末１０２からのレスポンスを確認し（ステップＳ６）、ＯＫであれば入手した接続情報で無線ＬＡＮアクセスポイント装置１０１に接続を試みる（ステップＳ７）。無線ＬＡＮ端末１０３が無線ＬＡＮアクセスポイント装置１０１への無線ＬＡＮ接続を確立した後に、無線ＬＡＮ端末１０２との間のＮＦＣ通信接続を切断する（ステップＳ８）。
【００５６】
図５（ａ）では、無線ＬＡＮ端末１０２は、ワンタイムＥＳＳＩＤ機能を持つ無線ＬＡＮアクセスポイント装置１０１と通信セッションを確立する（ステップＳ１１）。次に、無線ＬＡＮアクセスポイント装置１０１の状態確認処理を行う（ステップＳ１２）。次に、無線ＬＡＮ端末１０２と無線ＬＡＮ端末１０３との、端末間の通信処理を行う（ステップＳ１３）。さらに、セッション終了を判断し（ステップＳ１４）、セッション終了の場合には、無線ＬＡＮアクセスポイント装置１０１との通信セッションを切断する（ステップＳ１５）。
【００５７】
図５（ａ）の無線ＬＡＮアクセスポイント装置１０１の状態確認処理は、図５（ｂ）に示すように、タイマーの満了を判断し（ステップＳ１６）、満了していればワンタイムＥＳＳＩＤの動作状況を確認する（ステップＳ１７）。さらに、タイマーをリセットして（ステップＳ１８）、無線ＬＡＮアクセスポイント装置１０１の状態確認処理を終了する。
【００５８】
図６では、接続端末の有無を判断し（ステップＳ２１）、接続端末があるときはコマンド受信の有無を判断する（ステップＳ２２）。コマンド受信があるときは、作成可否を確認する（ステップＳ２３）。ＹＥＳの場合は、無線ＬＡＮアクセスポイント装置１０１に作成可否を確認する（ステップＳ２４）。さらに、無線ＬＡＮアクセスポイント装置１０１からのレスポンスを判断する（ステップＳ２５）。無線ＬＡＮアクセスポイント装置１０１からのレスポンスが”０”の場合には、無線ＬＡＮ端末１０３にＮＧを回答する（ステップＳ２７）。無線ＬＡＮアクセスポイント装置１０１からのレスポンスが”０”以外の場合には、無線ＬＡＮ端末１０３にＯＫを回答する（ステップＳ２６）。
【００５９】
ステップＳ２３でＮＯのときは、作成依頼を判断する（ステップＳ２８）。ＹＥＳの場合は、無線ＬＡＮアクセスポイント装置１０１にワンタイムＥＳＳＩＤ作成を依頼する（ステップＳ２９）。さらに、無線ＬＡＮアクセスポイント装置１０１からのレスポンスを判断する（ステップＳ３０）。無線ＬＡＮアクセスポイント装置１０１からのレスポンスがＯＫのときには、無線ＬＡＮアクセスポイント装置１０１から取得した接続情報を無線ＬＡＮ端末１０３に回答する（ステップＳ３１）。無線ＬＡＮアクセスポイント装置１０１からのレスポンスがＮＧの場合は、無線ＬＡＮ端末１０３にＮＧを回答する（ステップＳ３２）。
【００６０】
図７（ａ）では、無線ＬＡＮアクセスポイント装置１０１は、無線ＬＡＮ接続済みの無線ＬＡＮ端末と通信セッションを確立する（ステップＳ４１）。制御タイマーを開始する（ステップＳ４２）。無線ＬＡＮアクセスポイント装置１０１と端末間の通信処理を行う（ステップＳ４３）。制御・通信監視処理を行う（ステップＳ４４）。セッション終了を判断し（ステップＳ４５）、セッション終了のときは制御タイマーを開始する（ステップＳ４６）。無線ＬＡＮ端末との通信セッションを切断する（ステップＳ４７）。
【００６１】
図７（ａ）の制御・通信監視処理の詳細フローを、図７（ｂ）を参照して説明する。図７（ｂ）に示すように、制御タイマーの満了を判断する（ステップＳ４８）。満了のときには、ワンタイムＥＳＳＩＤが起動中か判断する（ステップＳ４９）。ワンタイムＥＳＳＩＤが起動中のときは、ワンタイムＥＳＳＩＤを停止させ、通信タイマーを停止させる（ステップＳ５０）。ワンタイムＥＳＳＩＤが起動中でないときは、セッション終了フラグを立てる（ステップＳ５１）。ステップＳ５１又はステップＳ４８でＮＯの場合には、通信タイマーの満了を判断する（ステップＳ５２）。通信タイマーの満了のときには、ワンタイムＥＳＳＩＤを停止させ、通信タイマーを停止させる（ステップＳ５３）。
【００６２】
図８では、無線ＬＡＮアクセスポイント装置１０１と端末間の通信処理を示し、コマンド受信の有無を判断し（ステップＳ６１）、有りのときは作成可否を確認する（ステップＳ６２）。ステップＳ６２でＹＥＳのときは、使用可能なインターフェース数を回答する（ステップＳ７０）。ステップＳ６２でＮＯのときは、作成依頼を判断する（ステップＳ６３）。ステップＳ６３でＹＥＳのときは、ワンタイムＥＳＳＩＤを起動し接続を回答し（ステップＳ６８）、通信タイマーを開始する（ステップＳ６９）。ステップＳ６３でＮＯのときは、ＭＡＣアドレスの有無を確認する（ステップＳ６４）。ステップＳ６４でＹＥＳのときは、受け取ったＭＡＣアドレスに対しアクセス権を付与し接続を回答する（ステップＳ６７）。ステップＳ６４でＮＯのときは、状態確認を判断し（ステップＳ６５）、ＹＥＳのときはワンタイムＥＳＳＩＤの作成状況などを回答する（ステップＳ６６）。ステップＳ６５でＮＯのときは終了する。ステップＳ７０、ステップＳ６９、ステップＳ６７及びステップＳ６６の各処理の後は、制御タイマーをリセットし（ステップＳ７１）、終了する。
【００６３】
本発明の本実施形態によれば、次の効果が得られる。
【００６４】
第１の効果は、一時的にしかネットワークにつなぐ必要のない無線ＬＡＮ端末の利用者に対しては、無線ＬＡＮアクセスポイント装置１０１の存在、位置や接続情報を意識させないで、一時的なアクセスを提供できることである。無線ＬＡＮ端末１０３の利用者は、無線ＬＡＮ端末１０２との近距離無線通信によって無線通信ネットワークに接続できるので、無線ＬＡＮアクセスポイント装置１０１の存在、位置や接続情報を意識させる場面がないためである。一時的にしかネットワークにつなぐ必要のない無線ＬＡＮ端末の利用者に対しては、無線ＬＡＮアクセスポイント装置１０１の存在、位置や接続情報を意識させる場面がない。これにより、無線ＬＡＮアクセスポイント装置１０１及び無線ＬＡＮアクセスポイント装置１０１への無線接続に関し、セキュリティが向上する。
【００６５】
第２の効果は、一時的にしかネットワークにつなぐ必要のない端末に対しては、完全に一時的（ワンタイム）なアクセス性を提供するので、意図しないアクセス権の継続を防止できることである。一時的に接続可能な識別情報ＥＳＳＩＤを作成し提供するといった、無線ＬＡＮアクセスポイント１の接続情報を一定時間のみ有効となるように構成することにより、一時的なアクセスの利用者による接続情報の悪用を防止することができる。また、一意的なパラメータを用いて乱数を発生させて一時的に接続可能な識別情報ＥＳＳＩＤを作成することにより、一時的に接続可能な識別情報ＥＳＳＩＤを推測できにくくすることができ、意図しないアクセスを防止できる。
【００６６】
第３の効果は、一時的にしかネットワークにつなぐ必要のない無線ＬＡＮ端末の利用者はＥＳＳＩＤ、暗号化キー等を意識せずに無線ＬＡＮに接続できるため、利用者の利便性が向上することである。一時的にしかネットワークにつなぐ必要のない無線ＬＡＮ端末の利用者が、ＥＳＳＩＤ、暗号化キーを入手し、無線ＬＡＮ端末に設定する場面がないためである。無線ＬＡＮ端末１０３の利用者は、無線ＬＡＮ端末１０２との近距離無線通信によって無線通信ネットワークに接続できる。
【００６７】
第４の効果は、上記理由をネットワーク管理者側から見て、利用者に対してＥＳＳＩＤ、暗号化キー等を意識させずに接続性を提供できるので、ネットワーク情報の秘匿性が向上することである。
【００６８】
〔その他の実施形態〕
以上、本発明の好ましい実施形態を説明したが、本発明はこれに限定されるものではない。例えば、上述した実施形態では、無線ＬＡＮアクセスポイント装置１０１のワンタイムＥＳＳＩＤに接続したのは１台だが、これはワンタイムＥＳＳＩＤに接続できるのが最大１台という制限をかけるものではない。他のＥＳＳＩＤと同じように、複数の子機を接続することも可能である。
【００６９】
上述した実施形態では、無線ＬＡＮアクセスポイント装置１０１はＥＳＳＩＤを指定できる無線ＬＡＮ通信インターフェースを最大３個のものを例に説明したため、ワンタイムＥＳＳＩＤに使用できる通信インターフェースは１つのように説明した。これは個数を制限するものではない。これは恒久的なＥＳＳＩＤも同様である。アクセスポイントがさらに多くの無線ＬＡＮ通信インターフェースを有するのであれば、ワンタイムＥＳＳＩＤの数を増やして、一時的に接続要求をしてきた端末ごとにＥＳＳＩＤを別にして作成することも可能である。
【００７０】
さらに上述した実施形態では、無線ＬＡＮ端末１０２と無線ＬＡＮ端末１０３の間で通信するためにＮＦＣ通信を利用したが、これは通信方式をＮＦＣに限定するものではない。ＩｒＤＡなどの赤外線通信、Ｂｌｕｅｔｏｏｔｈ等、２端末間でセキュアに通信できる通信インターフェースであれば同様に実現可能である。
【００７１】
上述した実施形態では、無線ＬＡＮ端末１０２からのワンタイムＥＳＳＩＤ停止要求を受けて、無線ＬＡＮアクセスポイント装置１０１がワンタイムＥＳＳＩＤを停止する動作を説明した。しかしながら、ワンタイムＥＳＳＩＤを停止するトリガーを、このタイミングや手法に限定するものではない。
【００７２】
例えば、無線ＬＡＮ端末１０２からの一時的なＥＳＳＩＤ作成要求を受けてから指定時間後に、無線ＬＡＮアクセスポイント装置１０１が強制的にワンタイムＥＳＳＩＤを停止することが考えられる。また、近距離無線通信にＢｌｕｅｔｏｏｔｈを使用していたとして、Ｂｌｕｅｔｏｏｔｈの通信が切れた場合は、強制的にワンタイムＥＳＳＩＤを停止する等、利用者に対して利用制限を設けることも可能である。例えば、無線ＬＡＮ端末１０３が無線ＬＡＮ端末１０２の近くにいなくなった等の理由で、このようなワンタイムＥＳＳＩＤを強制的に停止する場合が考えられる。このように一時的なアクセスの提供、言い換えると提供期間が終了したときの無線接続を終了させるトリガー、タイミングや手法は、様々なやり方が考えられる。無線接続を終了させるトリガー、タイミングや手法は、以上例示したやり方には限られない。
【００７３】
特許請求の範囲に記載した発明の範囲内で、種々の変形が可能であり、それらも本発明の範囲に含まれることはいうまでもない。
【００７４】
上記の実施形態の一部又は全部は、以下の付記のようにも記載されうるが、以下には限られない。
（付記１）他の無線通信装置から無線ＬＡＮアクセスポイントとの無線接続を要求する要求信号を受信し、その後一時的な前記無線接続に必要な識別信号が入力された場合には前記識別信号を前記他の無線通信装置に送信する近距離通信手段と、
前記要求信号に対応し無線接続許否を前記無線ＬＡＮアクセスポイントに照会する照会信号を送信し、これに対し前記無線ＬＡＮアクセスポイントから前記一時的な無線接続に必要な識別信号を受信した場合、該識別信号を前記近距離通信手段に供給する無線ＬＡＮ通信手段と、
を備えていることを特徴とする無線通信装置。
（付記２）前記他の無線通信装置との近距離通信を確立した後で、前記他の無線通信装置が前記一時的な無線接続に必要な識別信号を用いて前記無線ＬＡＮアクセスポイントへの無線接続を確立し、
その後、前記他の無線通信装置との前記近距離通信を切断する、付記１に記載の無線通信装置。
（付記３）前記無線ＬＡＮアクセスポイントに対して前記一時的な無線接続に必要な識別信号の停止要求を送信し、前記無線ＬＡＮアクセスポイントの前記一時的な前記無線接続に必要な識別信号を停止させる、付記１又は付記２に記載の無線通信装置。
（付記４）付記１乃至付記３のいずれか一つに記載された無線通信装置と、
前記無線ＬＡＮアクセスポイントと、
前記他の無線通信装置と、
を備える無線ＬＡＮシステム。
（付記５）前記無線ＬＡＮアクセスポイントは、前記無線通信装置から受け取った、他の無線通信装置が有する無線ＬＡＮ通信手段に設定されたＭＡＣアドレスを登録し、
前記他の無線通信装置は、受け取った前記一時的な無線接続に必要な識別信号を用いて、前記無線ＬＡＮアクセスポイントへの無線接続を確立する、付記４に記載の無線ＬＡＮシステム。
（付記６）前記無線通信装置は、前記他の無線通信装置が前記無線ＬＡＮアクセスポイントへの無線接続を確立した後で、前記他の無線通信装置との近距離通信を切断する、付記５に記載の無線ＬＡＮシステム。
（付記７）前記無線通信装置は、前記一時的な無線接続に必要な識別信号の停止要求を前記無線ＬＡＮアクセスポイントに対して送信し、これを受けて前記無線ＬＡＮアクセスポイントは前記一時的な無線接続に必要な識別信号を停止する、付記４乃至付記６のいずれか一つに記載の無線ＬＡＮシステム。
（付記８）一時的な用途で無線ＬＡＮアクセスポイントに接続したい他の無線通信装置に対して、前記無線ＬＡＮアクセスポイントへの一時的なアクセス権を与えるために、
既に前記無線ＬＡＮアクセスポイントに接続している無線通信装置との近距離通信を経由して、前記無線ＬＡＮアクセスポイントに一時的な無線接続先の作成を命令し、
その無線接続先に接続するための接続情報を、前記他の無線通信装置は前記無線通信装置を経由して入手し一時的に無線ＬＡＮアクセスポイントへ接続する、通信方法。
（付記９）前記無線通信装置は、
前記他の無線通信装置が前記無線ＬＡＮアクセスポイントへの無線接続を望むときは、前記他の無線通信装置との近距離通信を確立した後、
前記無線ＬＡＮアクセスポイントに対して一時的な無線接続に必要な識別信号を作成可能かどうか確認を取り、一時的な無線接続に必要な識別信号を作成可能であった場合には、その旨の回答を前記他の無線通信装置に行い、
他の無線通信装置が有する無線ＬＡＮ通信手段に設定されたＭＡＣアドレスを付加した情報を前記他の無線通信装置から受け取って前記無線ＬＡＮアクセスポイントに送信し、前記無線ＬＡＮアクセスポイントに対して一時的な無線接続に必要な識別信号の作成を依頼し、
前記無線ＬＡＮアクセスポイントから前記一時的な無線接続に必要な識別信号を受信して、前記他の無線通信装置に送信する、付記８に記載の通信方法。
（付記１０）前記無線ＬＡＮアクセスポイントは、前記無線通信装置から受け取った、他の無線通信装置が有する無線ＬＡＮ通信手段に設定されたＭＡＣアドレスを登録し、
前記他の無線通信装置は、受け取った一時的な無線接続に必要な識別信号を用いて、前記無線ＬＡＮアクセスポイントへの無線接続を確立する、付記９に記載の通信方法。
（付記１１）前記無線通信装置は、前記他の無線通信装置が前記無線ＬＡＮアクセスポイントへの無線接続を確立した後で、前記他の無線通信装置との近距離通信を切断する、付記１０に記載の通信方法。
（付記１２）前記無線通信装置は、一時的な無線接続に必要な識別信号の停止要求を前記無線ＬＡＮアクセスポイントに対して送信し、これを受けて前記無線ＬＡＮアクセスポイントは一時的な無線接続に必要な識別信号を停止する、付記９乃至付記１１のいずれか一つに記載の通信方法。
【産業上の利用可能性】
【００７５】
本発明の活用例として、スマートフォン、タブレット端末、パーソナルコンピュータなど、１つの端末に無線ＬＡＮの接続装置とともに他の近距離通信機能を有した情報端末装置が考えられる。
【符号の説明】
【００７６】
１    無線ＬＡＮアクセスポイント
１ａ、２ａ、３ａ    無線ＬＡＮ通信手段
２、３    無線ＬＡＮ端末
２ｂ、３ｂ    近距離通信手段
１０１    無線ＬＡＮアクセスポイント装置
１０１ａ    無線ＬＡＮ制御部
１０２、１０３    無線ＬＡＮ端末
１０２ａ、１０３ａ、１０４、１０５、１０６    無線ＬＡＮ通信インターフェース
１０２ｂ、１０３ｂ    ＮＦＣ通信インターフェース
【図１】
0006030600.tif 000002
【図２Ａ】
0006030600.tif 000003
【図２Ｂ】
0006030600.tif 000004
【図３】
0006030600.tif 000005
【図４】
0006030600.tif 000006
【図５】
0006030600.tif 000007
【図６】
0006030600.tif 000008
【図７】
0006030600.tif 000009
【図８】
0006030600.tif 000010